(57)【要約】【課題】光ディスクの媒体管理情報を更新する場合、多重に配置されている管理情報を全て更新する必要があり、大幅なタイムロスが発生する。また、更新回数が増加するのでディスクの書換え耐力も消耗する。【解決手段】ユーザデータエリアのアドレス（ａ）へのユーザデータの記録が失敗した場合（１）、スペアエリアのアドレス（ｂ）に同一データを記録する（２）。アドレス（ａ）のデータがアドレス（ｂ）に記録されていることをバッファメモリ８に取り込まれているＤＬに登録し、この情報をＤＭＡ１の現在有効なＤＬ領域に記録する（３）。同様にＤＭＡ２の現在有効なＤＬ領域にも記録するが、これに失敗した場合は（４）、同一ＤＭＡ２のＤＬ領域に交替をとりＤＬを記録する（５）。次にＤＭＡ２のＤＤＳを消去して（９）から、ＤＤＳ更新回数情報を更新しないで当該ＤＤＳのＤＬ開始アドレスのみ更新する（１０）。【選択図】図４
2007200417.tif 000002
【特許請求の範囲】
【請求項１】
欠陥位置情報と交替位置情報を含む欠陥情報と、欠陥情報の開始位置情報と更新回数情報を含む媒体管理情報と、を含む管理情報が半径方向の異なる複数の領域に記録された光ディスク媒体を回転させるスピンドルモータと、
前記光ディスク媒体に対して情報の記録、再生又は消去を行うピックアップと、
前記ピックアップに供給する記録信号及び消去信号を処理し、前記ピックアップからの再生信号を処理する記録・再生・消去回路と、
前記スピンドルモータの回転と前記ピックアップの移動を制御するサーボ回路と、
前記記録・再生・消去回路に供給する記録情報を記憶し、前記記録・再生・消去回路で処理された再生情報を記憶するメモリと、
前記サーボ回路と前記記録・再生・消去回路を制御するマイクロプロセッサと、を有し、
前記光ディスク媒体に対する情報の記録が失敗して交替処理をし、該光ディスク媒体の内周側に記録されている第１の管理情報の欠陥情報を更新した後、第１の管理情報よりも外周側に記録されている第２の管理情報の欠陥情報の更新が失敗して交替処理を行った場合、第２の管理情報の媒体管理情報を消去し、第２の管理情報の媒体管理情報を欠陥情報の開始位置情報を変更して更新することを特徴とする情報記録再生装置。
【請求項２】
前記更新後の第２の管理情報の媒体管理情報の更新回数情報は、前回と同じであることを特徴とする請求項１記載の情報記録再生装置。
【請求項３】
前記欠陥情報の開始位置情報の変更は、前記メモリに記憶されている第２の管理情報の媒体管理情報に対して行われ、第２の管理情報の媒体管理情報の更新は前記メモリの変更後の第２の管理情報の媒体管理情報を基に前記光ディスク媒体に対して行われることを特徴とする請求項１記載の情報記録再生装置。
【請求項４】
前記第１の管理情報の欠陥情報の更新が失敗して交替処理をした場合は、前記第２の管理情報の欠陥情報の更新を行う前に、第１の管理情報の媒体管理情報を消去し、第１の管理情報の媒体管理情報を欠陥情報の開始位置情報を変更して更新することを特徴とする請求項１記載の情報記録再生装置。
【請求項５】
前記更新後の第１及び第２の管理情報の媒体管理情報の更新回数は、前回と同じであることを特徴とする請求項４記載の情報記録再生装置。
【請求項６】
欠陥位置情報と交替位置情報を含む欠陥情報と、欠陥情報の開始位置情報と更新回数情報を含む媒体管理情報と、を含む管理情報が半径方向の異なる複数の領域に記録された光ディスク媒体の管理情報の更新方法において、
前記光ディスク媒体の複数の管理情報を再生してメモリに記憶するステップと、
前記光ディスク媒体に対する情報の記録が失敗した場合、交替領域に同一の情報を記録する交替処理を行うステップと、
前記光ディスク媒体の内周側に記録されている第１の管理情報の欠陥情報を更新するステップと、
前記光ディスク媒体の第１の管理情報よりも外周側に記録されている第２の管理情報の欠陥情報の更新が失敗して交替処理を行った場合、前記メモリ内の第２の管理情報の媒体管理情報の欠陥情報の開始位置情報を変更するステップと、
前記光ディスク媒体の第２の管理情報の媒体管理情報を消去するステップと、
前記メモリ内の変更後の第２の管理情報の媒体管理情報を前記光ディスク媒体に記録するステップと、
を含むことを特徴とする光ディスク媒体の管理情報の更新方法。
【請求項７】
前記光ディスク媒体に記録して更新された第２の管理情報の媒体管理情報の更新回数情報は、前回と同じであることを特徴とする請求項６記載の光ディスク媒体の管理情報の更新方法。
【請求項８】
前記第１の管理情報の欠陥情報の更新が失敗した場合は、前記第２の管理情報の欠陥情報の更新を行う前に、
第１の管理情報の欠陥情報の交替処理を行うステップと、
前記メモリ内の第１の管理情報の媒体管理情報の欠陥情報の開始位置情報を変更するステップと、
前記光ディスク媒体の第１の管理情報の媒体管理情報を消去するステップと、
前記メモリ内の変更後の第１の管理情報の媒体管理情報を前記光ディスク媒体に記録するステップと、
を実行することを特徴とする請求項６記載の光ディスク媒体の管理情報の更新方法。
【請求項９】
前記光ディスク媒体に記録して更新された第１及び第２の管理情報の媒体管理情報の更新回数情報は、前回と同じであることを特徴とする請求項８記載の光ディスク媒体の管理情報の更新方法。
【発明の詳細な説明】
【技術分野】
【０００１】
本発明は、高密度光ディスク等の記録媒体を用いる情報記録再生装置及び光ディスク媒体の管理情報の更新方法に関するものである。
【背景技術】
【０００２】
光ディスクは更なる高密度化に対応するため、より信頼性の高い媒体の管理が要求されている。装着された光ディスク毎に、ディスク上のどの位置に欠陥があり、またその交替領域がどの位置にあるかを示す欠陥管理情報は、情報の記録または再生を実行する上で欠かせない情報である。また、装着されたディスクに対する記録再生時の各種の条件、例えば記録パワー等の値を保存し、記録再生動作の起動時にこれを読み出して設定することで、セットアップの効率化が図られている。欠陥管理情報は、ディスクの複数の位置に欠陥管理領域（Ｄｅｆｅｃｔ  Ｍａｎａｇｅｍｅｎｔ  Ａｒｅａ、以下ＤＭＡと略す）を設けて、各領域に多重記録されている。
【０００３】
例えばＤＶＤ−ＲＡＭディスクでは、４つの欠陥管理領域（ＤＭＡ１〜ＤＭＡ４）を設けており、光ディスクの内周側に２つの欠陥管理領域を配置し、光ディスクの外周側に残りの２つの欠陥管理領域を配置している（例えば特許文献１）。
【０００４】
またＤＶＲ（Ｄａｔａ  ＆  Ｖｉｄｅｏ  Ｒｅｃｏｒｄｉｎｇ）と呼ばれる大容量高密度ディスクにおいては、ディスク内周側の２つの欠陥管理領域（ＤＭＡ１、ＤＭＡ２）を試し書き領域（ＯＰＣ）を挟んでディスク半径方向に離れて配置している。これにより、ディフェクト、傷等のために、２つの欠陥管理領域（ＤＭＡ１、ＤＭＡ２）が同時にダメージを受けることを防止し、ＤＭＡの信頼性を向上させている。また、欠陥管理領域のＤＤＳ（Ｄｉｓｃ  Ｄｅｆｉｎｉｔｉｏｎ  Ｓｔｒｕｃｔｕｒｅ）に更新回数を記録し、その更新回数がオーバーライト回数の限界値に達した場合、欠陥管理情報の記録領域を交替させ、ＤＭＡの記録再生の信頼性を高めている。そしてこのＤＤＳの更新回数を比較し、どのＤＭＡのデータが有効であるかを判断している（例えば特許文献２）。
【０００５】
【特許文献１】特開２００２−２４５７２３号公報
【特許文献２】特開２００４−１４０８８号公報
【発明の開示】
【発明が解決しようとする課題】
【０００６】
複数個の欠陥管理領域（ＤＭＡ１〜ＤＭＡ４）を設けた高密度ディスクに対しては、これらの情報を順次読み出して、読み出した各データを比較しどの情報が有効な情報（最新の情報）であるかを判断する。そして有効と判断した情報に基づいて、記録再生動作のセットアップ処理を行うことになる。高密度ディスクにおいては、管理情報が増加するだけでなく、増加した各情報領域はディスクの内周側（リードイン）と外周側（リードアウト）に離散して配置されているので、読取り用ピックアップが各位置間を移動し、場合によっては往復することも必要となる。ピックアップの移動速度には限界があるので、情報読み出しのための時間が増大し、セットアップ時間が増大するという課題を有している。特に、ＤＭＡの欠陥情報（ＤＬ：Ｄｅｆｅｃｔ  Ｌｉｓｔ）の更新において既存のＤＬ領域への記録が失敗し、予備のＤＬ領域にＤＬを記録する場合、全てのＤＭＡ（ＤＭＡ１〜ＤＭＡ４）の媒体管理情報（ＤＤＳ）を更新する必要があり、大幅なタイムロスが発生する。また、更新回数が増加するのでディスクの書換え耐力も消耗する。
【０００７】
本発明の目的は、情報記録再生装置において媒体の管理情報の更新に要する時間を短縮することである。
【０００８】
本発明の他の目的は、光ディスク媒体の管理情報の更新回数を低減することである。
【課題を解決するための手段】
【０００９】
上記目的を達成するために、本発明の情報記録再生装置においては、
欠陥位置情報と交替位置情報を含む欠陥情報と、欠陥情報の開始位置情報と更新回数情報を含む媒体管理情報と、を含む管理情報が半径方向の異なる複数の領域に記録された光ディスク媒体を回転させるスピンドルモータと、
前記光ディスク媒体に対して情報の記録、再生又は消去を行うピックアップと、
前記ピックアップに供給する記録信号及び消去信号を処理し、前記ピックアップからの再生信号を処理する記録・再生・消去回路と、
前記スピンドルモータの回転と前記ピックアップの移動を制御するサーボ回路と、
前記記録・再生・消去回路に供給する記録情報を記憶し、前記記録・再生・消去回路で処理された再生情報を記憶するメモリと、
前記サーボ回路と前記記録・再生・消去回路を制御するマイクロプロセッサと、を有し、
前記光ディスク媒体に対する情報の記録が失敗して交替処理をし、光ディスク媒体の内周側に記録されている第１の管理情報の欠陥情報を更新した後、第１の管理情報よりも外周側に記録されている第２の管理情報の欠陥情報の更新が失敗して交替処理を行った場合、第２の管理情報の媒体管理情報を消去し、第２の管理情報の媒体管理情報を欠陥情報の開始位置情報を変更して更新することを特徴とする。
【００１０】
前記更新後の第２の管理情報の媒体管理情報の更新回数情報は、前回と同じである。
【００１１】
前記欠陥情報の開始位置情報の変更は、前記メモリに記憶されている第２の管理情報の媒体管理情報に対して行われ、第２の管理情報の媒体管理情報の更新は、前記メモリの変更後の第２の管理情報の媒体管理情報を基に前記光ディスク媒体に対して行われる。
【００１２】
前記第１の管理情報の欠陥情報の更新が失敗して交替処理をした場合は、前記第２の管理情報の欠陥情報の更新を行う前に、第１の管理情報の媒体管理情報を消去し、第１の管理情報の媒体管理情報を欠陥情報の開始位置情報を変更して更新する。
【００１３】
前記更新後の第１及び第２の管理情報の媒体管理情報の更新回数情報は、前回と同じである。
【００１４】
上記他の目的を達成するために、本発明の、欠陥位置情報と交替位置情報を含む欠陥情報と、欠陥情報の開始位置情報と更新回数情報を含む媒体管理情報と、を含む管理情報が半径方向の異なる複数の領域に記録された光ディスク媒体の管理情報の更新方法においては、
前記光ディスク媒体の複数の管理情報を再生してメモリに記憶するステップと、
前記光ディスク媒体に対する情報の記録が失敗した場合、交替領域に同一の情報を記録する交替処理を行うステップと、
前記光ディスク媒体の内周側に記録されている第１の管理情報の欠陥情報を更新するステップと、
前記光ディスク媒体の第１の管理情報よりも外周側に記録されている第２の管理情報の欠陥情報の更新が失敗して交替処理を行った場合、前記メモリ内の第２の管理情報の媒体管理情報の欠陥情報の開始位置情報を変更するステップと、
前記光ディスク媒体の第２の管理情報の媒体管理情報を消去するステップと、
前記メモリ内の変更後の第２の管理情報の媒体管理情報を前記光ディスク媒体に記録するステップと、を含むことを特徴とする。
【００１５】
前記光ディスク媒体に記録して更新された第２の管理情報の媒体管理情報の更新回数情報は、前回と同じである。
【００１６】
前記第１の管理情報の欠陥情報の更新が失敗した場合は、前記第２の管理情報の欠陥情報の更新を行う前に、
第１の管理情報の欠陥情報の交替処理を行うステップと、
前記メモリ内の第１の管理情報の媒体管理情報の欠陥情報の開始位置情報を変更するステップと、
前記光ディスク媒体の第１の管理情報の媒体管理情報を消去するステップと、
前記メモリ内の変更後の第１の管理情報の媒体管理情報を前記光ディスク媒体に記録するステップを実行する。
【００１７】
前記光ディスク媒体に記録して更新された第１及び第２の管理情報の媒体管理情報の更新回数情報は、前回と同じである。
【発明の効果】
【００１８】
本発明によれば、情報記録再生装置において媒体の管理情報の更新に要する時間を短縮することができる。また、光ディスク媒体の管理情報の更新回数を低減することができる。
【発明を実施するための最良の形態】
【００１９】
以下、本発明の実施の形態を図面を用いて詳細に説明する。
図１は、本発明による情報記録再生装置の一実施例である光ディスク装置のブロック構成を示す図である。記録再生媒体としての光ディスク１は、スピンドルモータ２により所定の回転速度で回転する。ピックアップ３はレーザ光源やフォトディテクタ、及び光学レンズ系を含み、光ディスク１にレーザ光を照射し、情報の記録及び再生を行う。サーボ回路４はスピンドルモータ２の回転と、ピックアップ３のディスク半径方向及び垂直方向の位置を制御し、トラッキング及びフォーカスの制御を行う。記録・再生・消去回路５は、ピックアップ３に供給する記録信号の変調、補償などの記録処理、ピックアップ３の読み出した信号に対して２値化、復調、デコード、誤り訂正等の再生処理、ピックアップ３に供給する消去信号の処理を行う。記録再生用のデータは、バッファメモリ８に一時保存され、インタフェース制御回路９を介して、外部に接続された上位装置１０（例えばパーソナルコンピュータ）との間で送受信される。上位装置１０からのコマンドを受け、マイクロプロセッサ６は、サーボ回路４、記録・再生・消去回路５、インタフェース制御回路９を制御して、記録・再生・消去動作などの各種処理を制御する。制御メモリ７は、制御に必要なプログラムやデータを保存している。
【００２０】
記録再生動作開始時、ピックアップ３は光ディスク１上の内周側及び外周側に設けられたＤＭＡなどの管理情報記録領域にアクセス（シーク動作）し、管理情報を取得する。マイクロプロセッサ６は、ピックアップ３のアクセスのシーケンスを制御し、取得した管理情報を基に、装着された光ディスクに適応した記録再生条件に装置のセットアップを実行する。またマイクロプロセッサ６は、取得した管理情報からＤＤＳ状態情報を取得して最新のＤＤＳ（媒体管理情報）を管理し、またＤＬ状態情報を取得して現在有効なＤＬ（欠陥情報）を管理し、ＤＬ更新において既存のＤＬ領域への記録が失敗したことを検出するＤＬエラー検出処理を実行する。なお、ＤＬエラー検出は、マイクロプロセッサ６の処理以外に、ＤＬエラー検出回路を設け、検出結果をマイクロプロセッサ６に報告するようにしても良い。
【００２１】
図２を参照して、本実施例にて使用する高密度リライタブル光ディスク１の領域構成の一例を説明する。なお、図２に示す領域構成は、説明を簡略化するために本発明に関係する媒体管理情報を記録する領域のみ示し、その他の管理情報を記録する領域は省略してある。内周側にＤＤＳ、ＤＬを記録するＤＭＡ１、外周側にＤＤＳ、ＤＬを記録するＤＭＡ２を有し、中間にユーザデータ等を記録するデータゾーンを有する。ＤＭＡ１には、４個のＤＤＳと３個のＤＬ（ＤＬ１〜ＤＬ３）が設けられ、ＤＭＡ２にも４個のＤＤＳと３個のＤＬ（ＤＬ１〜ＤＬ３）が設けられている。データゾーンはユーザデータエリアと、内周側の交替エリア（ＩＳＡ）と、外周側の交替エリア（ＯＳＡ）を有する。なお、図２では説明を簡略化するために、ＤＭＡは内周側に１個、外周側に１個設けられているが、実際は、内周側に２個、外周側に２個設けられている。また、ＤＬの個数を３個としたが、これは任意の個数とすることができる。
【００２２】
図５、図６及び図７に、高密度リライタブル光ディスクであるＢＤ−ＲＥ（Ｂｌｕ−ｒａｙ  Ｄｉｓｃ  Ｒｅｃｏｒｄｉｎｇ）で規格化されているＤＤＳ、ＤＬ、ＤＬ  ｃｏｎｔｅｎｔｓの構成を示す。図５に示すＤＤＳでは、他のＤＭＡも共通な情報と、当該ＤＭＡにのみ有効な情報を管理している。当該ＤＭＡにのみ有効な情報とは、バイト位置４の“ＤＤＳ  ｕｐ  ｄａｔｅ  ｃｏｕｎｔ”とバイト位置２４の“ｆｉｒｓｔ  ＰＳＮ  ｏｆ  ｄｅｆｅｃｔ  ｌｉｓｔ”である。バイト位置４の“ＤＤＳ  ｕｐ  ｄａｔｅ  ｃｏｕｎｔ”はＤＤＳの更新回数を示す更新回数情報であり、バイト位置２４の“ｆｉｒｓｔ  ＰＳＮ  ｏｆ  ｄｅｆｅｃｔ  ｌｉｓｔ”はＤＬの開始アドレスを示す欠陥情報の開始位置情報である。図６に示すＤＬには、ディフェクトリストの内容が記録される複数の領域（ｌｉｓｔ  ｏｆ  ｄｅｆｅｃｔｓ）が設けられている。このｌｉｓｔ  ｏｆ  ｄｅｆｅｃｔｓの内容（ＤＬ  ｃｏｎｔｅｎｔｓ）は、図７に示すように欠陥とされて交替される領域の位置情報（ｄｅｆｅｃｔｉｖｅ  ｃｌｕｓｔｅｒ  ｆｉｒｓｔ  ＰＳＮ）と、その交替領域の位置情報（ｒｅｐｌａｃｅｍｅｎｔ  ｃｌｕｓｔｅｒ  ｆｉｒｓｔ  ＰＳＮ）である。
【００２３】
次に、図２、図３及び図４を用いて、実施例による媒体管理情報の更新方法を説明する。ＢＤ−ＲＥ規格では、ＤＬ更新において既存のＤＬ領域への記録が失敗し、予備のＤＬ領域にＤＬを記録する場合、全てのＤＭＡのＤＤＳを更新する必要がある。図２に示すように、ユーザデータエリアのアドレス（ａ）へのユーザデータの記録が失敗した場合（１）、スペアエリア（今回はＩＳＡ）のアドレス（ｂ）に同一データを記録する（２）。アドレス（ａ）のデータがアドレス（ｂ）に記録されていることをバッファメモリ８に取り込まれているＤＬに登録し、この情報をＤＭＡ１の現在有効なＤＬ領域（今回はＤＬ１が有効とする）に記録する（３）。同様にＤＭＡ２の現在有効なＤＬ領域（今回はＤＬ１が有効とする）にも記録するが、これに失敗した場合は（４）、同一ＤＭＡ２のＤＬ領域に交替をとり（今回はＤＬ２）ＤＬを記録する（５）。ＤＭＡ２の有効なＤＬがＤＬ１からＤＬ２に変わったため、ＤＤＳにて管理される有効なＤＬの開始アドレス“ｆｉｒｓｔ  ＰＳＮ  ｏｆ  ｄｅｆｅｃｔ  ｌｉｓｔ”の更新が必要となる。ＤＤＳのこの情報を更新するために、バッファメモリ８に取り込まれているＤＤＳの“ＤＤＳ  ｕｐｄａｔｅ  ｃｏｕｎｔ”情報を更新（１を加算）して、ＤＭＡ１のＤＤＳを４個とも更新（記録）し（６）、その後ＤＭＡ２の４個のＤＤＳの“ＤＤＳ  ｕｐｄａｔｅ  ｃｏｕｎｔ”情報と“ｆｉｒｓｔ  ＰＳＮ  ｏｆ  ｄｅｆｅｃｔ  ｌｉｓｔ”情報も更新（記録）する（７）ことになる。
【００２４】
上記のようにＤＬの開始アドレスが変更になった場合、本来は、“ｆｉｒｓｔ  ＰＳＮ  ｏｆ  ｄｅｆｅｃｔ  ｌｉｓｔ”情報がＤＤＳの中で唯一当該ＤＭＡ（上記の場合はＤＭＡ２）にのみ有効な情報であるため、図３のように“ＤＤＳ  ｕｐｄａｔｅ  ｃｏｕｎｔ”情報を更新しないで、当該ＤＭＡ２のＤＤＳのみ更新する（８）のが望ましい。そうすれば、他のＤＭＡ（上記の場合はＤＭＡ１）のＤＤＳを更新する必要がなくなるので、予備領域を持たないＤＤＳの更新回数を低減することができるため、ディスクの書換え耐力を無駄に消費しないで済むし、他のＤＭＡ更新のための時間（最内周と最外周間の移動時間）も短縮することができる。しかしながら、図３に示す方法では、（８）の処理実施中に光ディスク装置の電源をＯＦＦされた場合などでは、ディスク上に記録されているＤＤＳにおいて、“ＤＤＳ  ｕｐｄａｔｅ  ｃｏｕｎｔ”値が同一なのに他の情報（今回は“ｆｉｒｓｔ  ＰＳＮ  ｏｆ  ｄｅｆｅｃｔ  ｌｉｓｔ”）が異なっているという規格違反の（整合性が取れていない）ディスクを生み出してしまうことになる。このようなディスクでは、有効でない“ｆｉｒｓｔ  ＰＳＮ  ｏｆ  ｄｅｆｅｃｔ  ｌｉｓｔ”を読み出す可能性があり、その場合は、光ディスク装置が正常に動作できなくなる可能性がある。
【００２５】
そこで、本実施例では、図４に示すように、一度当該ＤＭＡ２のＤＤＳを消去して（９）から、“ＤＤＳ  ｕｐｄａｔｅ  ｃｏｕｎｔ”情報を更新しないで当該ＤＤＳの“ｆｉｒｓｔ  ＰＳＮ  ｏｆ  ｄｅｆｅｃｔ  ｌｉｓｔ”情報のみ更新する（１０）。これにより、ＤＤＳの更新処理（１０）の途中で電源ＯＦＦされても、“ＤＤＳのＤＤＳ  ｕｐｄａｔｅ  ｃｏｕｎｔ”値が同一なのに“ｆｉｒｓｔ  ＰＳＮ  ｏｆ  ｄｅｆｅｃｔ  ｌｉｓｔ”が異なっているという規格違反のディスクを生み出すことなく、他ＤＭＡのＤＤＳの更新を不要にすることができるので、ＤＤＳの更新回数の低減及び更新時間の短縮を可能とする。また、書換え可能媒体である相変化光ディスクでは、消去処理（９）に必要なレーザーパワーは、記録時の１／１０程度であるため、ディスクの書換え耐力の消耗を軽減することができる。
【００２６】
次に、図８及び図９を参照して上記媒体管理情報の更新方法の光ディスク装置における具体的な処理手順を説明する。図８は、図２に示した更新方法のフローチャートであり、ユーザデータエリアのアドレス（ａ）へのユーザデータ記録が失敗し、ＤＭＡ１の有効ＤＬを更新（ステップ８００、図２の（３））してからのマイクロプロセッサ６の処理である。ステップ８０２においてステップ８００における更新にエラーがあるかどうかをチェックし、エラーがなければステップ８０４に進みＤＭＡ２の有効ＤＬの更新を行う。ステップ８０６においてステップ８０４における更新にエラーがあるかどうかをチェックし、エラーが検出された場合（図２の（４））、ステップ８０８においてＤＭＡ２の予備のＤＬ（図２の（５））に記録（交替処理）する。続いてステップ８１０において交替処理にエラーがあるかどうかをチェックし、エラーが検出される場合はステップ８０８、ステップ８１０を繰り返す。ステップ８１０においてエラーが検出されない場合、あるいは検出されなくなった場合、ステップ８１２に進みＤＭＡ１のＤＤＳを更新したかどうかをチェックする。ＤＭＡ１のＤＤＳの更新は未だ行われていないのでステップ８１４に進みバッファメモリ８に取り込まれているＤＭＡ１の４個のＤＤＳの“ＤＤＳ  ｕｐｄａｔｅ  ｃｏｕｎｔ”情報に１を加算する。続いてステップ８１６において光ディスクのＤＭＡ１の４個のＤＤＳを更新する（図２の（６））。次にステップ８１８に進みピックアップ３を外周に移動（シーク）し、バッファメモリ８に取り込まれているＤＭＡ２の４個のＤＤＳの“ｆｉｒｓｔ  ＰＳＮ  ｏｆ  ｄｅｆｅｃｔ  ｌｉｓｔ”情報を変更する。続いてステップ８２０において光ディスクのＤＭＡ２の４個のＤＤＳを更新する（図２の（７））。
【００２７】
ステップ８０２においてエラーが検出された場合は、ステップ８２２に進みＤＭＡ１の予備のＤＬに記録（交替処理）する。続いてステップ８２４において交替処理にエラーがあるかどうかをチェックし、エラーが検出される場合はステップ８２２とステップ８２４を繰り返す。ステップ８２４においてエラーが検出されない場合、あるいはエラーが検出されなくなった場合、ステップ８２６に進みバッファメモリ８に取り込まれているＤＭＡ１の４個のＤＤＳの“ＤＤＳ  ｕｐｄａｔｅ  ｃｏｕｎｔ”情報に１を加算する。続いてステップ８２８においバッファメモリ内のＤＭＡ１の４個のＤＤＳの“ｆｉｒｓｔ  ＰＳＮ  ｏｆ  ｄｅｆｅｃｔ  ｌｉｓｔ”情報を変更し、ステップ８３０において光ディスクのＤＭＡ１の４個のＤＤＳを更新する。この後は上記ステップ８０４に進む。この処理の場合は、ステップ８１２においてＤＭＡ１のＤＤＳの更新は済んでいるので、ステップ８１８への処理へと進むことになる。また、ステップ８０６においてＤＭＡ２の有効ＤＬの更新が成功しエラーが検出されなかった場合は、ステップ８３２に進みＤＭＡ１のＤＤＳの更新を確認し、処理が終了する。
【００２８】
この処理の場合は前述のとおり、全ＤＭＡの更新に多くの時間がかかるという問題がある。特に、通常の上位装置（ホスト）からの連続記録処理において、記録時に欠陥を検出して交替領域にデータを交替記録し、さらにＤＬの更新時にもエラーが発生し交替記録する場合は、通常の記録再生に比べて大幅なタイムロスが発生する。
【００２９】
図９は図４に示した実施例による更新方法の光ディスク装置における具体的な処理を示すフローチャートである。ステップ８００〜ステップ８１０までは上記図８に示した処理と同じであり、ステップ８１０においてＤＭＡ２の予備ＤＬへの記録が成功した場合（図４の（５））、図８のステップ８１２、８１４、８１６の処理（図２の（６））はなく、ステップ８１８においてバッファメモリ内のＤＭＡ２の４個のＤＤＳの“ｆｉｒｓｔ  ＰＳＮ  ｏｆ  ｄｅｆｅｃｔ  ｌｉｓｔ”情報のみを変更する。次にステップ９００において、光ディスクのＤＭＡ２の４個のＤＤＳを消去し（図４の（９））、ステップ８２０において既に変更したバッファメモリ内のＤＤＳに基づいて光ディスクのＤＭＡ２の４個のＤＤＳを更新する（図４の（１０））。ステップ８０２においてエラーが検出され、ＤＭＡ１の予備のＤＬへの交替記録が成功した場合（ステップ８２４）、“ＤＤＳ  ｕｐｄａｔｅ  ｃｏｕｎｔ”情報は更新しないでステップ８２８において“ｆｉｒｓｔ  ＰＳＮ  ｏｆ  ｄｅｆｅｃｔ  ｌｉｓｔ”情報のみを変更し、ステップ９０２においてＤＭＡ１の４個のＤＤＳを消去し、ステップ８３０において光ディスクのＤＭＡ１の４個のＤＤＳを更新する。ステップ８０４において光ディスクのＤＭＡ２の有効ＤＬへの交替処理が成功した場合は、ＤＭＡ１のＤＤＳの更新を確認することなく処理終了となる。
【００３０】
以上説明したとおり上記実施例によれば、ユーザデータの記録時に欠陥を検出して交替領域に交替記録し、さらにＤＬ更新にも失敗した場合、全ＤＭＡのＤＤＳの更新回数情報を更新することなく、ＤＬ更新に失敗したＤＭＡのＤＤＳを消去し、当該ＤＤＳのＤＬ開始アドレスのみを変更して更新するので、ＤＤＳの更新回数を低減することができる。消去処理に必要なレーザーパワーは、記録時に比べ低パワーであるため、ＤＤＳの更新回数の低減と相まってディスクの書換え耐力の消耗を軽減することができる。また、ＤＬ更新時にディスクの内周から外周にかけてのシーク動作を減らすことができるので、更新時間を短縮することができる。さらにＤＤＳの更新回数情報を更新しないので規格違反のディスクを生み出すこともない。そしてさらに、ＤＬ更新時に大幅なロスタイムが発生した場合は、ホストの記録コマンドの時間監視に引っかかり記録処理失敗となりホストから切り離される可能性があるが、上記本実施例によればこのような事態を回避することができる。
【図面の簡単な説明】
【００３１】
【図１】本発明による情報記録再生装置の一実施例である光ディスク装置のブロック構成を示す図である。
【図２】本実施例にて使用する高密度リライタブル光ディスクの領域構成及びＤＬ更新処理の一例の概要を示す図である。
【図３】ＤＬ更新処理の他の例の概要を示す図である。
【図４】本実施例によるＤＬ更新処理の概要を示す図である。
【図５】図４におけるＤＤＳに含まれる媒体管理情報を示す図である。
【図６】図４におけるＤＬ（ＤＬ１〜ＤＬ３）の構成を示す図である。
【図７】図６のＤＬに登録される内容（交替元アドレスと交替先アドレス）を示す図である。
【図８】図２のＤＬ更新処理の光ディスク装置における処理のフローチャートである。
【図９】図４に示す実施例のＤＬ更新処理の光ディスク装置における処理のフローチャートである。
【符号の説明】
【００３２】
１…記録再生媒体（光ディスク）、２…スピンドルモータ、３…ピックアップ、４…サーボ回路、５…記録・再生・消去回路、６…マイクロプロセッサ、７…制御メモリ、８…バッファメモリ、９…インタフェース制御回路、１０…上位装置。
【図１】
2007200417.tif 000003
【図２】
2007200417.tif 000004
【図３】
2007200417.tif 000005
【図４】
2007200417.tif 000006
【図５】
2007200417.tif 000007
【図６】
2007200417.tif 000008
【図７】
2007200417.tif 000009
【図８】
2007200417.tif 000010
【図９】
2007200417.tif 000011